(57)【要約】 【課題】  毛布衿の触感、保温性及びフィット性が改善されると共に、経済性にも優れた衿付き毛布を提供すること。【解決手段】  ２層に折り畳まれた付け衿１２を毛布本体１１の片方の短辺に、毛布本体１１とほとんど重なり合うことなく縫い付ける。【選択図】  図１            
0003106119.tif 000002
【実用新案登録請求の範囲】
【請求項１】
２層に折り畳まれた衿部材が、毛布本体の片方の短辺に、該毛布本体とほとんど重なり合うことなく縫い付けられていることを特徴とする衿付き毛布。
【請求項２】
前記衿部材と前記毛布本体の短辺との重なり長さが２〜５ｃｍ程度であることを特徴とする請求項１記載の衿付き毛布。
【請求項３】
前記衿部材の端部が飾りテープでカーバされていることを特徴とする請求項１又は請求項２記載の衿付き毛布。
【請求項４】
前記衿部材として、前記毛布本体の生地よりも触感に優れた生地が用いられていることを特徴とする請求項１〜３のいずれかの項に記載の衿付き毛布。
【請求項５】
前記毛布本体が合わせ毛布であることを特徴とする請求項１〜４のいずれかの項に記載の衿付き毛布。
【考案の詳細な説明】
【技術分野】
【０００１】
本考案は毛布に関し、より詳細には毛布衿が毛布本体に縫い付けられた衿付き毛布に関する。
【背景技術】
【０００２】
従来の最も一般的な毛布は、図７に示したように、長方形形状をした毛布本体２１と、毛布本体２１の四周の端部に縫い付けられたヘム２２とを含んで構成されている。毛布本体２１として、織毛布、タフト毛布、又はマイヤー毛布などが用いられている。ヘム２２は、毛布本体２１の生地より薄いヘム生地が使われ、毛布本体２１の四周の端部を覆うように前記毛布本体２１の四周の端部に縫い付けられている。
【０００３】
また、前記マイヤー毛布は、編み毛布の生地に両面起毛処理が施された１枚もののニューマイヤー毛布と、片面のみ起毛処理が施された2枚の編み毛布の起毛処理が施されていない面を張り合わせて構成された合わせマイヤー毛布に分類される。合わせマイヤー毛布の場合、首が当たる部分の触感及び保温性を向上させるために、図８に示す衿返し毛布３０が提案されている。図８に示したように、衿返し毛布３０は、長方形形状をした表生地３１と、長辺が該表生地３１よりも１５〜３０ｃｍ程度長くなっている長方形形状をした裏生地３２とを含んで構成されている。表生地３１及び裏生地３２はいずれも片面のみ起毛処理が施され、それぞれの起毛処理が施されていない面を張り合わせ面としている。表生地３１と裏生地３２は、図９に示したようにそれぞれの両長辺及び一短辺を揃うように張り合わせられている。表生地３１より長くなっている裏生地３２の部分が図８に示したように表生地３１の方へ折り返され、その端部で表生地３１と裏生地３２とが縫い付けられている。
【０００４】
また、首が当たる部分の触感及ぶ保温性などを向上させるために、図１０に示す衿付き毛布４０も提案されている。図１０に示したように、衿付き毛布４０は、長方形形状をした毛布本体４１と、該毛布本体４１の片方の短辺に縫い付けられている付け衿４２とを含んで構成されている。毛布本体４１としては、前述した織毛布、タフト毛布、またはマイヤー毛布などが使用される。付け衿４２は、毛布本体４１と別の部材が２層に折り畳まれて前記毛布本体４１の片方の短辺近傍部分を覆うように、毛布本体４１の前記短辺部分と３０ｃｍ程度重なり合って毛布本体４１に縫い付けられている。
【０００５】
しかしながら、図７に示した四周ヘム付きの毛布２０の場合、ヘム２２が直接首に当たるため、硬くまたは冷たく感じられ、即ち、触感が悪いといった課題があった。さらに、この種類の毛布は肩まわりにおける保温性とフィット性が配慮されていないといった課題もあった。
【０００６】
また、図８、図９に示した衿返し毛布３０の場合、触感と保温性は改善されるが、合わせマイヤー毛布の場合に限り裏生地３２を表側へ折り返して衿を作ることができるので、毛布本体が１枚の毛布である場合、この折り返し縫製方法を応用することができないといった課題があった。また、衿部分が３層となるため、毛布を使用する人の肩まわりに余分な重さを加えてしまうといった課題もあった。更に、衿部分は裏生地３２と表生地３１とが重なっているため、余分な生地が使われ、経済性に劣るといった課題もあった。
【０００７】
また、図１０に示した衿付き毛布４０の場合、触感と保温性を向上させることはできるが、付け衿４２は３層又は４層（毛布本体４１が合わせマイヤー毛布の場合）となるため、毛布を使用する人の肩まわりに余分な重さを加えてしまうといった課題があった。さらに、付け衿４２が毛布本体４１の端部と完全に重なっているため、余分な生地が使われて経済性に劣るといった課題もあった。
【考案の開示】
【課題を解決するための手段及びその効果】
【０００８】
本考案は上記課題に鑑みなされたものであって、毛布衿の触感、保温性及びフィット性が改善されると共に、経済性にも優れた衿付き毛布を提供することを目的としている。
【０００９】
上記目的を達成するために、本考案に係る衿付き毛布（１）は、２層に折り畳まれた衿部材が、毛布本体の片方の短辺に、該毛布本体とほとんど重なり合うことなく縫い付けられていることを特徴としている。
上記衿付き毛布（１）によれば、２層に折り畳まれた衿部材が毛布本体とほとんど重なり合うことなく前記毛布本体に縫い付けられているため、保温性を保ちながら衿部分を軽く柔らかいものとでき、首が当たる部分の触感及び肩まわりにおけるフィット性が改善され、さらに、毛布本体の生地を節約でき、経済的衿付き毛布を提供することができる。
【００１０】
また本考案に係る衿付き毛布（２）は、上記毛布（１）において、前記衿部材と前記毛布本体の短辺との重なり長さが２〜５ｃｍ程度であることを特徴としている。
上記衿付き毛布（２）によれば、使われる衿部材及び毛布本体の生地に対応して、前記衿部材と前記毛布本体との前記重なり長さを２〜５ｃｍの範囲内で調整することができるため、前記衿部材と前記毛布本体との縫製結合部の結合強度が保証され、また触感、フィット性、経済性を損ねることもない。
【００１１】
また、本考案に係る衿付き毛布（３）は、上記衿付き毛布（１）又は（２）において、前記衿部材の端部が飾りテープでカーバされていることを特徴としている。
上記衿付き毛布（３）によれば、前記衿部材と前記毛布本体との縫製部がカーバされるだけではなく、前記縫製部の段差を調整することもできる。
【００１２】
また、本考案に係る衿付き毛布（４）は、上記衿付き毛布（１）〜（３）のいずれかにおいて、前記衿部材として、前記毛布本体の生地よりも触感に優れた生地が用いられていることを特徴としている。
上記衿付き毛布（４）によれば、毛布の衿部の触感をより一層改善することができる。
【００１３】
また、本考案に係る衿付き毛布（５）は、上記衿付き毛布（１）〜（４）のいずれかにおいて、前記毛布本体が合わせ毛布であることを特徴としている。
上記衿付き毛布（５）によれば、前記毛布本体として合わせ毛布が使われたとしても、衿部分を軽く柔らかく保つことができ、しかも全体的保温性に優れた衿付き毛布を提供することができる。
【考案を実施するための最良の形態】
【００１４】
以下、本考案に係る衿付き毛布の実施の形態を図面に基づいて説明する。図１は本考案の実施の形態に係る衿付き毛布１０を示す平面図であり、図中１１は毛布本体を示しており、毛布本体１１の上辺部には付け衿１２が毛布本体１１とほとんど重なり合うことなく縫い付けられており、付け衿１２と毛布本体１１の上辺部との重なり長さは２〜５ｃｍの範囲で設定されている。この縫い付け部には飾りテープ１３が施されており、衿付け１２の端部及び前記縫い付け部分が外部からは見えないように覆われている。また、毛布の上辺１０ａを除く、毛布の下辺１０ｂ及び両側辺１０ｃにはヘムが施されている。
【００１５】
図２は毛布本体１１及び付け衿１２の構成をそれぞれ示す平面図である。毛布本体１１は、図２に示したように、短辺１１ａと長辺１１ｂとからなる長方形形状をした部材により構成されている。毛布本体１１の生地は、素材及び織方法によって制限されることはなく、一般的には、アクリル、ウール、シルク又はコットンなどを素材とした細いタテ糸と太いヨコ糸を使って二重に織って造られた生地を起毛して仕上げられた織毛布、主にアクリルを素材とした基布にパイル糸を植え付けて造られた生地を起毛して仕上げられたタフト毛布、又はアクリルとコットンを素材とした毛足になるパイル糸が高級細番手で編み上げられたマイヤー毛布などを毛布本体１１の生地とすることができる。前述したように、前記マイヤー毛布には、ニューマイヤー毛布と合わせマイヤー毛布とが含まれている。
【００１６】
毛布本体１１の生地は、使用目的に合わせて選択することが望ましい。例えば、春秋用毛布の場合、１枚毛布（例えば、織毛布）を毛布本体１１とし、冬用毛布の場合、合わせ毛布（例えば、合わせマイヤー毛布）を毛布本体１１とすることが望ましい。
【００１７】
付け衿１２は、図２に示したように、短辺１２ａと長辺１２ｂとからなる長方形形状をした衿部材により構成されている。付け衿１２の長辺１２ｂは、毛布本体１１の短辺１１ａと同じ寸法を有し、短辺１２ａの寸法は２０〜６０ｃｍ程度の範囲で設定される。付け衿１２の生地は、毛布本体１１と同じ生地であってもよいが、異なる生地が採用されてもよい。毛布本体１１よりも触感に優れた生地を使うことにより、経済性を保ちながら、触感をより一層向上させることができる。
【００１８】
触感は使われる生地の素材と織方法によって異なる。使用目的に合わせて、付け衿１２の生地を選択することが望ましい。例えば、夏用毛布の場合、美しい光沢があり、通気性、吸湿性、保温性，放湿性などに優れ、しかも静電気が起こりにくく、皮膚への刺激も少ないシルクを素材とした織毛布生地を付け衿１２の生地とすることが望ましい。春秋用毛布の場合、やわらかく吸湿性とフィット性に富み、洗濯もしやすいコットンの織毛布又はニューマイヤー毛布生地を付け衿１２の生地とすることが望ましい。又、冬用毛布の場合、アクリルを素材とした長い立毛が密生した保温性と触感に優れたニューマイヤー毛布生地を付き衿１２の生地とすることが望ましい。
このように、触感に優れた生地を付け衿１２の生地とすることにより、衿付き毛布１０の衿部分の触感を大幅に改善することができる。
【００１９】
又、毛布本体１１よりも高級感のある生地を付け衿１２の生地として採用することにより、衿付き毛布１０の高級感を向上させることができる。高級感のある生地としては、例えば、カシミヤ、アルパカ、キャメル、ビキューナなどの高級天然ウールを使用した毛布や、高級染めを適用した毛布などが挙げられる。
【００２０】
図３は、付け衿１２が毛布本体１１に縫い付けられる前の状態を示す斜視図である。図３に示したように、付け衿１２はその短辺１２ａが半分になるように２層に畳まれる。なお、使用される付け衿１２の生地は表と裏のある生地であれば、その表が外向きになるように付け衿１２が畳まれる。例えば、使われる付け衿１２の生地がニューマイヤー毛布である場合、起毛側が外向きになるように付け衿１２が畳まれる。
このように、付け衿１２を２層に畳むことにより、衿部分の保温性及び触感を向上させることができる。
【００２１】
図４は、付け衿１２が毛布本体１１に縫い付けられた状態を示す斜視図である。図４に示したように、毛布本体１１の片方の短辺１１ａが２つに畳まれた付け衿１２の２つの端部の間に２〜５ｃｍ程度挿入され、付け衿１２の両長辺１２ｂが毛布本体１１の短辺１１ａを僅かに挟んで毛布本体１１に縫製結合されている。
【００２２】
このように、付け衿１２が毛布本体１１とほとんど重なり合うことなく毛布本体１１に縫い付けられるため、従来のような付け衿が毛布本体に全面的に重なって縫製結合される衿付き毛布（例えば、図１０に示す衿付き毛布）に比べて、付け衿１２の部分が軽く柔らかくなり、首が当たる部分の触感及び肩まわりへのフィット性が改善され、さらに、毛布本体１１の生地が節約されるため経済性も向上させることができる。
【００２３】
又、付け衿１２の２つの端部の間に挿入される毛布本体１１の片方の短辺１１ａの長さは、付け衿１２及び毛布本体１１の生地の質及び厚さに応じて、２〜５ｃｍの範囲で適切に調整されており、衿部材１２と毛布本体１１との縫製結合部の結合強度が保証され、又、前記結合部分の段差も調整されている。例えば、付け衿１２及び毛布本体１１の生地が薄い場合、前記挿入する長さを短かめとし、他方、前記生地が厚い場合、前記挿入する長さを長めとし、また前記生地が丈夫であれば、前記挿入する長さを短かめとし、他方、前記生地が丈夫でなければ、前記挿入する長さを長めとすることが望ましい。
【００２４】
図５は、付け衿１２の長辺１２ｂの端部に飾りテープ１３が縫製された状態を示す斜視図である。図５に示したように、２つの飾りテープ１３は、付け衿１２と毛布本体１１との縫製結合部分の両面をカバーするように付け衿１２の両長辺１２ｂの両端部を含んで縫製されている。飾りテープ１３は付け衿１２の長辺１２ｂ及び毛布本体１１の短辺１１ａと同じ長さ、及び１〜５ｃｍ程度の幅を有している。付け衿１２及び毛布本体１１の生地の厚さなどに応じて飾りテープ１３の幅を決めることにより、前記縫製結合部分の段差を感じなくすることができる。例えば、厚い生地には広い幅を使い、薄い生地には狭い幅を使うことが好ましい。また、飾りテープ１３の生地として、通常の毛布用ヘム生地又は飾りテープ用生地を用いることができるが、付け衿１２及び毛布本体１１の生地に合わせて飾りテープの生地を選ぶことが好ましい。
このように、飾りテープ１３を使うことにより、付け衿１２と毛布本体１１との縫製結合部分がカーバされるだけではなく、前記縫製結合部分の段差を調整することもできる。
【００２５】
図６は、飾りテープ１３が縫製された衿付き毛布１０の下辺１０ｂ及び両側辺１０ｃにヘム１４が縫製された状態（完成品）を示す斜視図である。図６に示したように、ヘム１４は衿付き毛布１０の下辺１０ｂ及び両側辺１０ｃの端部を包むように、毛布本体１１及び付け衿１２に縫い付けられて、衿付き毛布１０が仕上げられている。
【図面の簡単な説明】
【００２６】
【図１】本考案の実施の形態に係る衿付き毛布を示す平面図である。
【図２】毛布本体及び付け衿の構成をそれぞれ示す平面図である
【図３】付け衿が毛布本体に縫い付けられる前の状態を示す斜視図である。
【図４】付け衿が毛布本体に縫い付けられた状態を示す斜視図である。
【図５】付け衿の長辺に飾りテープが縫製された状態を示す斜視図である。
【図６】飾りテープが縫製された衿付き毛布の下辺及び両側辺にヘムが縫製された完成品を示す斜視図である。
【図７】従来の毛布の一例を示す平面図である。
【図８】従来の衿返し毛布の一例を示す斜視図である。
【図９】図８に示す衿返し毛布の衿部分が展開された状態を示す斜視図である。
【図１０】従来の衿付き毛布の一例を示す斜視図である。
【符号の説明】
【００２７】
１０  衿付き毛布
１０ａ  毛布の上辺
１０ｂ  毛布の下辺
１０ｃ  毛布の側辺
１１  毛布本体
１１ａ  短辺
１１ｂ  長辺
１２  付け衿
１２ａ  短辺
１２ｂ  長辺
１３  飾りテープ
１４  ヘム
２０  毛布
２１  毛布本体
２２  ヘム
３０  衿返し毛布
３１  表生地
３２  裏生地
４０  衿付き毛布
４１  毛布本体
４２  付け衿
【図１】
0003106119.tif 000003
【図２】
0003106119.tif 000004
【図３】
0003106119.tif 000005
【図４】
0003106119.tif 000006
【図５】
0003106119.tif 000007
【図６】
0003106119.tif 000008
【図７】
0003106119.tif 000009
【図８】
0003106119.tif 000010
【図９】
0003106119.tif 000011
【図１０】
0003106119.tif 000012